【事件の表示】
　平成１０年特許願第３３０３４６号「タイマ装置」拒絶査定不服審判事件〔平成１２年　６月　６日出願公開、特開２０００−１５５１８５〕について、次のとおり審決する。
【結　論】
　本件審判の請求は、成り立たない。
【理　由】
１　手続の経緯
　本願は、平成１０年１１月２０日の出願であって、平成１８年９月２７日付け（発送日：平成１８年１０月３日）で拒絶査定がなされ、これに対して平成１８年１１月２日に拒絶査定不服審判の請求がなされるとともに、平成１８年１２月４日付けで明細書を対象とする手続補正がなされたものであって、当審において、平成１８年１２月４日付け手続補正を、平成２１年１月２８日付けの補正の却下の決定により却下した後、同日付け（発送日：平成２１年２月３日）で拒絶の理由を通知したところ、これに対して平成２１年４月６日付けで意見書が提出されるとともに、同日付けで明細書を対象とする手続補正がなされ、平成２１年４月１０日付けで上申書が提出されたものである。
　
２　本願発明
　本願の請求項１に係る発明は、平成２１年４月６日付けの手続補正により補正された明細書及び図面の記載からみて、その特許請求の範囲に記載された以下のとおりのものと認める。（以下「本願発明」という。）
　
「【請求項１】
　現在時刻を表示する現在時刻表示機能と、設定された予約時刻が到来したとき運転開始指示を風呂給湯機に向けて出力する予約機能とを備えたタイマ装置において、
　予約スイッチと、時刻表示手段と、時刻変更スイッチとを備え、
　前記予約スイッチは、前記予約機能のオンオフ操作を受け付けるものであり、
　前記時刻表示手段は、前記予約機能がオンに設定されている間は前記予約時刻を表示し、前記予約機能がオフに設定されている間は現在時刻を表示するものであり、
　前記時刻変更スイッチは、前記時刻表示手段が前記予約時刻を表示しているときは当該予約時刻の変更操作を受け付け、前記時刻表示手段が現在時刻を表示しているときは当該現在時刻の変更操作を受け付けるようにその機能が切り換えられるものであり、
　前記予約機能がオンに設定されており、予約時刻が到来したときに前記風呂給湯機に風呂の自動運転を開始させることを特徴とするタイマ装置。」
　
３　引用刊行物に記載された発明
（１）当審拒絶理由で引用され、本願の出願前に頒布された刊行物である実願昭６２−１１７３１６号（実開昭６４−２１３９３号）のマイクロフィルム（以下、「引用刊行物１」という。）には、「予約時間設定装置」の発明に関して、図面とともに以下の事項が記載されている。
　
＜記載事項１＞
「（イ）産業上の利用分野
　本考案は、現在時刻が予約時刻に達したときに給湯器、風呂釜、冷暖房器等の器具を自動的にオンオフ動作させたいような場合に使用される予約時間設定装置に関する。」（第１頁第１７行−第２頁第１行）
　
＜記載事項２＞
「　第１図は本考案の予約時間設定装置のブロック図である。同図において、符号１は予約時間設定装置の全体を示し、２は時刻を表示するデジタル式の表示器、４は予約時刻を記憶する予約時刻設定レジスタ、６は現在時刻を計時するタイマー回路である。このタイマー回路６は、たとえば、水晶発振器、分周器およびカウンタで構成される。
（１行空白）
　また、８は予約時刻設定レジスタ４で設定された予約時刻とタイマー回路６で計時される現在時刻の各データを表示器２に選択出力する選択回路で、たとえばデジタルスイッチあるいはゲート回路で構成される。１０は予約時刻設定レジスタ４とタイマー回路６のデータを共に入力し、予約時刻と現在時刻とを比較して両時刻の一致により風呂釜等の器具をオンオフ動作する信号を出力するコンパレータである。このコンパレータ１０は、後述する予約モード移行スイッチ１８によって起動される。
　１２は操作部で、この操作部１２は現在時刻と予約時刻を設定する際に操作される時刻合わせスイッチ１４、通常モードと予約時刻設定モードとを切り替える際に操作されるモード切替スイッチ１６および通常モードと予約モードとを切り替える際に操作される予約モード移行スイッチ１８を備える。２０はモード切替スイッチ１６の操作に応じて時刻合わせスイッチ１４の出力を予約時刻設定レジスタ４側とタイマー回路６側とに切り換える切換回路である。」（第６頁第１行−第７頁第９行）
　
＜記載事項３＞
「次に、上記構成を有する予約時間設定装置１の動作について説明する。
　通常モードでは、選択回路８はタイマー回路６側の出力を選択しており、そのため、タイマー回路６で計時されている現在時刻が表示器２に表示されている。
　予約時刻を設定する際には、モード切り替えスイッチを押す。これにより、通常モードから予約時刻設定モードに切り替わり（第２図参照）、モード切替スイッチ１６からの出力信号が選択回路８と切替回路２０とに与えられて選択回路８が予約時刻設定レジスタ４側の出力を選択するとともに、切換回路２０が切り替わって時刻合わせスイッチ１４が予約時刻設定レジスタ４に接続される。このため、予約時刻設定レジスタ４の内容が表示器２に表示される一方、この状態で時刻合わせスイッチ１４を操作して予約時刻設定レジスタ４の内容を設定することができる。そして、予約時刻の設定後、再度モード切替スイッチ１６を操作すると通常モードに復帰し、これに伴い、選択回路８がタイマー回路６側の出力を選択するとともに、切換回路２０がタイマー回路６側に切り替わる。その結果、表示器２には現在時刻が表示される。
（１行空白）
　上記のようにして予約時刻を設定し、その後、通常モードから予約モードに切り替えるには、予約モード移行スイッチ１８を操作する。すると、このスイッチ操作に応答してコンパレータ１０が起動されて現在時刻と予約時刻との比較を開始するとともに、このスイッチ操作に応答して時限パルス発生回路２２からは一定のパルス幅（たとえば３秒間）をもつ予約時刻のデータ選択用の時限パルスが出力される。」（第７頁第１６行−第９頁第８行）
　
＜記載事項４＞
「そして、この予約モードの下で現在時刻が予約時刻に一致すると、コンパレータ１０から風呂釜等の器具をオンオフ動作する信号が出力される。」（第９頁第１８−２０行）
　
　上記記載事項２、３からみて、時刻合わせスイッチ１４は、通常モードでは現在時刻を設定していることが読み取れる。
　
　よって、前記記載事項１乃至４及び図面の記載からみて、引用刊行物１には、以下の発明が記載されているものと認められる。
「現在時刻を表示する通常モードと、設定された予約時刻と現在時刻が一致すると風呂釜等の器具をオンオフ動作する信号を出力する予約モードを有する予約時間設定装置において、
　予約モード移行スイッチ１８と、時刻を表示する表示器２と、時刻合わせスイッチ１４とを備え、
　前記予約モード移行スイッチ１８は、前記通常モードと前記予約モードとを切り替えるものであり、
　前記時刻を表示する表示器２は、予約時刻設定モードでは前記予約時刻を表示し、前記通常モードでは現在時刻を表示するものであり、
　前記時刻合わせスイッチ１４は、前記予約時刻設定モードでは予約時刻を設定し、前記通常モードでは現在時刻を設定し、
　前記予約モードの下で、現在時刻が予約時刻に一致すると、風呂釜等の器具をオンオフ動作する信号が出力される予約時間設定装置。」（以下、「引用発明１」という。）
　
（２）当審拒絶理由で引用され、本願の出願前に頒布された刊行物である実願昭５３−１５７９９６号（実開昭５４−１１２０８９号）のマイクロフィルム（以下、「引用刊行物２」という。）には、図面とともに以下の事項が記載されている。
　
＜記載事項５＞
「２．実用新案登録請求の範囲
　液晶等の電子表示を有するデジタル式アラーム時計に於いて、アラームのセットとキャンセルの選択設定が行われる安定型スイッチを有し、該安定型スイッチのアラームセット位置ではアラームセット時刻表示の修正を、該安定型スイッチのアラームキャンセル位置では通常時刻表示の修正を各々行われるべく選択する構成としたことを特徴としたデジタル式アラーム時計の修正構造。」（第１頁第４−１２行）
　
＜記載事項６＞
「第４図ではアラームセットの状態を示している。１６はＭボタン、１７はＨボタンであり、それぞれ分の桁、時の桁に対応するプッシュ式修正ボタンである。そして第２図に示す様に時桁表示は左側、分桁表示は右側にあるので、ボタンの位置もそれに対応させて、正面から見てＭボタン１６は右側、Ｈボタン１７は左側に設けて桁の選択を容易ならしめている。又、修正対象には通常時刻とアラーム時刻があるので、スイッチスライダー１１のアラームキャンセル位置１１−１ではスイッチスライダー１１は下側にあるので同じく下側に表示されている通常時刻表示９を、スイッチスライダ１１のアラームセット位置１１−２ではスイッチスライダー１１は上側にあるので同じく上側に表示されているアラームセット時刻表示１０をそれぞれ対応させて選択していて修正には既に述べたＭボタン１６、とＨボタンをそれぞれの修正すべき桁に応じて使用すればよいので誠に操作が楽になっている。要するにスイッチスライダーでＹ軸を、ボタンでＸ軸を指定するマトリックス手法を表示位置に対応させてとり入れている。なお、アラームセット時刻を修正する必要の前提にはアラームセット意志を伴うのでこの組み合わせは更に人間工学上にもかなっている。」（第５頁第２行−第６頁第５行）
　
　したがって、引用刊行物２には以下の事項が記載されている。
　
ア　同じ修正ボタンを用いてアラーム時刻と通常時刻を修正するものにおいて、アラームセットの時にアラーム時刻を修正対象に、アラームキャンセルの時に通常時刻を修正対象にすること（上記記載事項５−６）。
　
イ　アラーム時刻を修正する必要の前提にはアラームセット意志を伴うので、アラームセットの時にアラーム時刻を修正するようにすることは、人間工学上にもかなっていること（上記記載事項６）。
　
４　対比
　本願発明と引用発明１とを対比する。
　
　引用発明１の「設定された予約時刻と現在時刻が一致する」、「風呂釜等の器具」、「オンオフ動作する信号」、「予約時間設定装置」は、それぞれ本願発明の「設定された予約時刻が到来した」、「風呂給湯機」、「運転開始指示」、「タイマ装置」に相当するから、引用発明１の「現在時刻を表示する通常モードと、設定された予約時刻と現在時刻が一致すると風呂釜等の器具をオンオフ動作する信号を出力する予約モードを有する予約時間設定装置」は、本願発明の「現在時刻を表示する現在時刻表示機能と、設定された予約時刻が到来したとき運転開始指示を風呂給湯機に向けて出力する予約機能とを備えたタイマ装置」に相当する。
　
　引用発明１の「予約モード移行スイッチ１８」、「時刻を表示する表示器２」、「時刻合わせスイッチ１４」は、それぞれ本願発明の「予約スイッチ」、「時刻表示手段」、「時刻変更スイッチ」に相当するから、引用発明１の「予約モード移行スイッチ１８と、時刻を表示する表示器２と、時刻合わせスイッチ１４とを備え」は、本願発明の「予約スイッチと、時刻表示手段と、時刻変更スイッチとを備え」に相当する。
　
　引用発明１の「前記予約モード移行スイッチ１８は、前記通常モードと前記予約モードとを切り替えるものであり」と、本願発明の「前記予約スイッチは、前記予約機能のオンオフ操作を受け付けるものであり」とは、「前記予約スイッチは、前記予約機能のオン操作を受け付けるものであり」という点で共通する。
　
　引用発明１の「前記時刻を表示する表示器２は、予約時刻設定モードでは前記予約時刻を表示し、前記通常モードでは現在時刻を表示するものであり」と、本願発明の「前記時刻表示手段は、前記予約機能がオンに設定されている間は前記予約時刻を表示し、
前記予約機能がオフに設定されている間は現在時刻を表示するものであり」とは、「前記時刻表示手段は、第１の状態に設定されている間は前記予約時刻を表示し、第２の状態に設定されている間は現在時刻を表示するものであり」という点で共通する。
　
　引用発明１は、予約時刻設定モードでは予約時刻を表示し、通常モードでは現在時刻を表示しているものであるから、引用発明１の「前記時刻合わせスイッチ１４は、前記予約時刻設定モードでは予約時刻を設定し、前記通常モードでは現在時刻を設定し」は、本願発明の「前記時刻変更スイッチは、前記時刻表示手段が前記予約時刻を表示しているときは当該予約時刻の変更操作を受け付け、前記時刻表示手段が現在時刻を表示しているときは当該現在時刻の変更操作を受け付けるようにその機能が切り換えられるものであり」に相当する。
　
　引用発明１の「予約モードの下で」、「風呂釜等の器具をオンオフ動作する信号が出力される」は、それぞれ本願発明の「予約機能がオンに設定されており」、「風呂給湯機に風呂の自動運転を開始させる」に相当するから、引用発明１の「前記予約モードの下で、現在時刻が予約時刻に一致すると、風呂釜等の器具をオンオフ動作する信号が出力される」は、本願発明の「前記予約機能がオンに設定されており、予約時刻が到来したときに前記風呂給湯機に風呂の自動運転を開始させる」に相当する。
　
　引用発明１の対象である「予約時間設定装置」は、本願発明の対象である「タイマ装置」に相当する。
　
　したがって、本願発明と引用発明１の両者は、以下の一致点で一致し、以下の相違点で相違する。
　
＜一致点＞
「現在時刻を表示する現在時刻表示機能と、設定された予約時刻が到来したとき運転開始指示を風呂給湯機に向けて出力する予約機能とを備えたタイマ装置において、
　予約スイッチと、時刻表示手段と、時刻変更スイッチとを備え、
　前記予約スイッチは、前記予約機能のオン操作を受け付けるものであり、
　前記時刻表示手段は、第１の状態に設定されている間は前記予約時刻を表示し、第２の状態に設定されている間は現在時刻を表示するものであり、
　前記時刻変更スイッチは、前記時刻表示手段が前記予約時刻を表示しているときは当該予約時刻の変更操作を受け付け、前記時刻表示手段が現在時刻を表示しているときは当該現在時刻の変更操作を受け付けるようにその機能が切り換えられるものであり、
　前記予約機能がオンに設定されており、予約時刻が到来したときに前記風呂給湯機に風呂の自動運転を開始させることを特徴とするタイマ装置。」
　
＜相違点１＞
　予約機能のオン操作を受け付ける予約スイッチが、本願発明では、予約機能のオフ操作も受け付けるのに対して、引用発明１では、予約機能のオフ操作も受け付けることが不明な点。
　
＜相違点２＞
　時刻表示手段が予約時刻を表示し、時刻変更スイッチが表示された予約時刻の変更操作を受け付けるのが、本願発明では、予約機能がオンに設定されている間であるのに対して、引用発明１では、予約時刻設定モードの時である点。
　
＜相違点３＞
　時刻表示手段が現在時刻を表示し、時刻変更スイッチが表示された現在時刻の変更操作を受け付けるのが、本願発明では、予約機能がオフに設定されている間であるのに対して、引用発明１では、通常モードの時である点。
　
５　判断
（１）相違点１
　予約時間設定装置において、予約機能をオンに設定した後に、設定した予約をキャンセル可能、即ち予約機能をオフに設定可能とすること、予約機能をオフに設定するスイッチと予約機能をオンに設定するスイッチとを同じスイッチとすることは、特開平１０−２２０８６９号公報に記載されているように、当該分野において周知であるから、引用発明１に前記周知技術を適用して、予約モード移行スイッチ１８により、通常モードから予約モードに切り替えるだけでなく、予約モードから通常モードに復帰するように切り替えるようにすることは、当業者が容易に想到し得ることである。
　
　したがって、上記相違点１に係る本願発明の発明特定事項は、引用刊行物１に記載された発明、周知技術に基づいて、当業者が容易に想到し得るものである。
　
（２）相違点２、３
　上記相違点２、３を併せて検討する。
　上述したように、引用刊行物２には、同じ修正ボタンを用いてアラーム時刻と通常時刻を修正するものにおいて、アラームセットの時にアラーム時刻を修正対象に、アラームキャンセルの時に通常時刻を修正対象にすること、アラーム時刻を修正する必要の前提にはアラームセット意志を伴うので、アラームセットの時にアラーム時刻を修正するようにすることは、人間工学上にもかなっていることが記載されている。引用発明１と、引用刊行物２に記載された発明とは、いずれも予め時間を設定する装置であり、かつ操作を人間工学上にもかなっているようにすること、すなわち操作性を良くすることは、ごく一般に周知の課題の一つに過ぎないから、前記課題を解決するために、引用発明１に引用刊行物２に記載された構成を適用して、予約機能がオンに設定している間は、予約時刻を表示し、予約時刻の変更操作を受け付け、予約機能がオフに設定されている間は、現在時刻を表示し、現在時刻の変更操作を受け付けるようにすることは、当業者が容易に想到し得ることである。
　
　したがって、上記相違点２、３に係る本願発明の発明特定事項は、引用刊行物１乃至２に記載された発明に基づいて、当業者が容易に想到し得るものである。
　
　そして、本願発明によって奏される効果は、引用刊行物１乃至２の記載から、当業者が予測し得る程度のものに過ぎない。
　
　したがって、本願発明は、引用刊行物１乃至２に記載された発明、周知技術に基づいて当業者が容易に発明をすることができたものであるから、特許法第２９条第２項の規定により特許を受けることができない。
　
６　むすび
　以上のとおり、本願発明は、引用刊行物１乃至２に記載された発明、周知技術に基づいて当業者が容易に発明をすることができたものであるから、特許法第２９条第２項の規定により特許を受けることができない。
　したがって、他の請求項に係る発明について審理するまでもなく、本願は拒絶すべきものである。
　
　よって、結論のとおり審決する。